(57)【要約】【課題】若々しいという印象を客観的に評価する。【解決手段】(i)見た目年齢が若い、(ii)イキイキしている、(iii)清潔感があるという顔の印象が、それぞれ顔の物理的又は感覚的な計測可能特徴と直接的に関係する低次印象を要素とする高次印象であり、若々しいという印象が、(i)〜(iii)の高次印象を要素とする高次印象であるという印象の階層構造に基づき、複数の顔から得た低次印象の評価値と顔の計測可能特徴の評定値との回帰式を用いて、被験者について顔の計測可能特徴の評定値から低次印象の評価値を算出し、複数の顔から得た(i)、(ii)又は(iii)の高次印象の評価値と低次印象の評価値との回帰式を用いて、被験者について上記低次印象の評価値から(i)、(ii)又は(iii)の高次印象の評価値を算出し、さらに(i)、(ii)又は(iii)の高次印象の評価値から「若々しい」という印象の評価値を算出することにより高次印象を評価する。【選択図】図１
2019201743.tif 000002
【特許請求の範囲】
【請求項１】
次の３つの顔の印象(i)〜(iii)
(i)見た目年齢が若い
(ii)イキイキしている
(iii)清潔感がある
が、それぞれ顔の物理的又は感覚的に計測可能な特徴（以下、計測可能特徴という）と直接的に関係する１又は複数の印象（以下、低次印象という）を要素とする高次印象であり、若々しいという印象が、(i)〜(iii)の高次印象を要素とする高次印象であるという印象の階層構造に基づき、
複数の顔から得た低次印象の評価値と顔の計測可能特徴の評定値との回帰式を用いて、被験者について顔の計測可能特徴の評定値から低次印象の評価値を算出し、
複数の顔から得た(i)、(ii)又は(iii)の高次印象の評価値と低次印象の評価値との回帰式を用いて、被験者について上記低次印象の評価値から(i)、(ii)又は(iii)の高次印象の評価値を算出する高次印象の評価方法。
【請求項２】
請求項１記載の方法により被験者の(i)〜(iii)の高次印象の評価値を算出し、
複数人から得た若々しいという印象の評価値と(i)〜(iii)の高次印象の評価値との回帰式を用いて、上記被験者の(i)〜(iii)の高次印象の評価値から若々しいという印象の評価値を算出する高次印象の評価方法。
【請求項３】
前記高次印象の要素となる低次印象が、次の(a)〜(e)から選ばれる１又は複数の低次印象である、請求項１又は２記載の高次印象の評価方法。
(a)シワたるみ因子
(b)目力因子
(c)目周りのくすみ因子
(d)ムラ感因子
(e)色白因子
【請求項４】
請求項１〜３のいずれかに記載の方法で算出された被験者の高次印象の評価値を用いて被験者に美容アドバイスを行う美容カウンセリング方法。
【発明の詳細な説明】
【技術分野】
【０００１】
本発明は、顔の高次印象の評価方法に関する。
【背景技術】
【０００２】
主観的抽象的に行われる顔の印象の評価を客観的に行えるようにするため、性別印象要素評価軸と年齢印象要素評価軸の２軸を用いて顔画像の特徴量から回帰式により印象の評価値を算出する方法が提案されている（特許文献１）。この印象の評価方法は、全ての印象には、男性的−女性的という性別印象要素評価軸の要素と、大人っぽい−子供っぽいという年齢印象要素評価軸の要素が存在することを前提としている。
【先行技術文献】
【特許文献】
【０００３】
【特許文献１】特開平１１−２６５４４３号公報
【発明の概要】
【発明が解決しようとする課題】
【０００４】
しかしながら、現実の顔の印象には、年齢や性別といった生物学的要素だけでなく、性格、心理状態、体調、目の開き具合なども影響するため、従来の印象の評価方法では、実際の印象を十分に評価することが難しく、その評価手法を美容カウンセリングに応用することも難しい。例えば、被験者が美容カウンセリングで若々しい印象になることを望んだ場合に、その要望に対して客観的な分析結果を示して対応することができない。
【０００５】
これに対し、本発明は、若々しいという印象の要素を分析し、その分析結果と物理的又は感覚的に計測可能な特徴の一次取得データである評定値とを結びつけることにより、若々しさを客観的に評価できるようにすることを課題とする。
【課題を解決するための手段】
【０００６】
本発明者は、顔の若々しさに関する印象の階層構造を検討することにより、若々しいという印象が、(i)見た目年齢が若い、(ii)イキイキしている、(iii)清潔感があるという３つの印象の上位にあり、かつ、これらの印象が、それぞれ、顔の物理的又は感覚的に計測可能な特徴の評定値と直接的に関係する低次印象を要素としているという印象の階層構造を見出し、この印象の階層構造に基づいて若々しさを客観的手法で評価する方法を想到した。
【０００７】
即ち、本発明は、次の３つの顔の印象(i)〜(iii)
(i)見た目年齢が若い
(ii)イキイキしている
(iii)清潔感がある
が、それぞれ顔の物理的又は感覚的に計測可能な特徴（以下、計測可能特徴ともいう）と直接的に関係する１又は複数の印象（以下、低次印象という）を要素とする高次印象であり、若々しいという印象が、(i)〜(iii)の高次印象を要素とする高次印象であるという印象の階層構造に基づき、
複数の顔から得た低次印象の評価値と顔の計測可能特徴の評定値との回帰式を用いて、被験者について顔の計測可能特徴の評定値から低次印象の評価値を算出し、
複数の顔から得た(i)、(ii)又は(iii)の高次印象の評価値と低次印象の評価値との回帰式を用いて、被験者について上記低次印象の評価値から(i)、(ii)又は(iii)の高次印象の評価値を算出する高次印象の評価方法を提供する。
【０００８】
また、本発明は、上述の方法により被験者の(i)〜(iii)の高次印象の評価値を算出し、
複数人から得た若々しいという印象の評価値と(i)〜(iii)の高次印象の評価値との回帰式を用いて、上記被験者の(i)〜(iii)の高次印象の評価値から若々しいという印象の評価値を算出する高次印象の評価方法を提供する。
【０００９】
さらに本発明は、上述の方法で算出された被験者の高次印象の評価値を用いて被験者に美容アドバイスを行う美容カウンセリング方法を提供する。
【発明の効果】
【００１０】
本発明は、顔の計測可能特徴の評定値から低次印象の評価値を取得し、取得した低次印象の評価値から(i)見た目年齢が若い、(ii)イキイキしている、(iii)清潔感があるという、若々しさの要素となっている３つの高次印象を評価し、さらには若々しさの印象を客観的に評価することが可能となる。
【００１１】
したがって、本発明の方法により得られる、若々しさ及びその要素になっている高次印象を美容カウンセリングで活用することが可能となる。
【図面の簡単な説明】
【００１２】
【図１】図１は、本発明が基づく印象の階層構造の説明図である。
【図２】図２は、高次印象の評価結果の表示例である。
【図３】図３は、美容カウンセリングにおける高次印象の評価結果の表示例である。
【図４】図４は、美容カウンセリングにおける高次印象の評価結果の表示例である。
【発明を実施するための形態】
【００１３】
以下、本発明を、図面を参照しつつ詳細に説明する。
＜顔の若々しさに関する印象の階層構造＞
本発明は、図１に示す印象の階層構造に基づき、被験者の顔の計測可能特徴の評定値を用いて、最終的には高次印象である若々しいという印象、又はこの若々しいという印象の要素である、見た目年齢が若いという印象、イキイキしているという印象、清潔感があるという印象の評価値を得られるようにするものである。なお、本発明において、若々しいという印象とは、「若々しい」またはこれと同義の言葉で表される印象（例えば、若い、若顔、若見え、美しい、きれい、魅力的等）を含み、イキイキしているという印象とは、「イキイキ」又はこれと同義の言葉で表される印象（例えば、溌剌、元気、健康的、ヘルシー、疲れて見えない、活動的、エネルギッシュ、アクティブ、活力のある、明るい、輝きのある、晴れやか等）を含み、清潔感があるという印象とは、「清潔感がある」又はこれと同義の言葉（例えば、小ぎれい、きちんと、さわやか、小ざっぱり、さっぱり、すっきり、爽快等）で表される印象を含む。
【００１４】
また、本発明が評価する、顔についての若々しいという印象は、５０代女性が、人からどのような印象に見られたいかというアンケートで第１位となった印象であるという意義を有し、(i)見た目年齢が若い、(ii)イキイキしている、(iii)清潔感があるという３つの印象は、若々しいという印象の主要な要素であり、これらの印象は美容カウンセリング上、重要なカウンセリング対象になるという意義を有する。
【００１５】
本発明が基づく、顔の若々しさに関する高次印象の階層構造は、次のようにして本発明者により見出されたものである。
【００１６】
まず、どのような印象の顔に見られたいかを首都圏に在住の５０代女性９５名にＯＡ(Open Answer)式でアンケートすることにより収集した印象語をクラスタリングし、それらの比率を調べたところ、若々しさに関連する印象語が５０％を超えて第１位であり、第２位に清潔感に関連する印象語、第３位にイキイキしていることに関連する印象語がつづいた。
【００１７】
次に、上述のように収集した印象語と美容の研究員２名から収集した顔の印象語をクラスタリングした。その結果、次のように若々しさに関連する印象語が２つ、清潔感に関連する印象語が２つ、イキイキしているに関連する印象語が５つの合計９つの印象語が抽出された。
若々しさに関連する印象語：若々しい、見た目年齢が若い
清潔感に関連する印象語：清潔感がある、小ぎれいである
イキイキしているに関連する印象語：元気である、イキイキしている、溌剌としている、健康的である、疲れて見えない
【００１８】
そこで、美容の研究員３名が、５０代女性の顔画像３２個において上述の９つの印象のそれぞれがどれだけ当てはまるかを５段階に評定した。「若々しい」、「見た目年齢が若い」を除く７つの印象の評定値に対して因子分析を行い、清潔感因子およびイキイキ因子の２因子を抽出した。さらに、「若々しい」の評定値を目的変数とし、「見た目年齢が若い」の評定値、「清潔感因子」の因子得点、及び「イキイキ因子」の因子得点を説明変数とする重回帰分析を行うことにより、図１に示すように、「若々しい」という高次印象が次の(i)〜(iii)の３つの高次印象を要素としているという高次印象の階層構造を見出し、「若々しい」という高次印象の評価値を算出する、以下に示す回帰式(I)を得た。
(i)見た目年齢が若い
(ii)イキイキしている
(iii)清潔感がある
【００１９】
ここで、高次印象とは低次印象に対する用語で、低次印象が物理的又は感覚的に計測可能な特徴（即ち、計測可能特徴）と直接的に関係し、計測可能特徴の評定値と回帰式によって関係づけられるのに対し、高次印象とは計測可能特徴と直接的な関係はなく、複数の印象を要素とする印象をいう。
【００２０】
「若々しい」＝０．４１×「見た目年齢が若い」＋０．５２×「イキイキしている」
＋０．４０×「清潔感がある」＋６．２Ｅ-17  （調整済み決定係数Ｒ2＝０．８７）
回帰式(I)
【００２１】
この回帰式(I)の調整済み決定係数Ｒ2が０．５を超えていることから、「若々しい」という高次印象が、(i)〜(iii)の高次印象で十分に説明されることがわかる。
【００２２】
一方、(i)〜(iii)の高次印象の評価値を低次印象の評価値から算出できるようにするため、まず、美容の研究員が顔の印象を評定する際に使用する計測可能特徴として、次の１７個の低次印象語をリストアップした。
【００２３】
目元のシワたるみやくぼみ、ほうれい線付近のシワたるみ、口元のシワたるみ、フェイスラインのシワたるみ、目のぱっちり感、目力、頬のつや、頬のキメ、頬のハリ、クマ、目周りのくすみ、頬のくすみ、頬の透明感、頬の白さ、頬の赤み、頬の色ムラ、頬のシミそばかす
【００２４】
次に、美容の研究員３名が、種々の顔画像において上述の１７個の低次印象語を５段階に評定し、因子分析することにより、次の(a)〜(e)の低次印象因子の存在がわかった。
(a)シワたるみ因子
(b)目力因子
(c)目周りのくすみ因子
(d)ムラ感因子
(e)色白因子
【００２５】
また、この因子分析の結果から、因子負荷量を係数とする次の(a)〜(e)の回帰式(III-a)、(III-b)、(III-c)、(III-d)、(III-e)を得た。
【００２６】
(a)「シワたるみ因子」＝０．８９×「口元のシワたるみ」＋０．７４×「ほうれい線付近のシワたるみ」＋０．６６×「フェイスラインのシワたるみ」＋０．６１×「目元のシワたるみやくぼみ」  回帰式(III-a)
(b)「目力因子」＝０．９×「目力」＋０．８５×「目のぱっちり感」  回帰式(III-b)
(c)「目周りのくすみ因子」＝０．８４×「クマ」＋０．７９×「目周りのくすみ」−０．６８×「頬のハリ」  回帰式(III-c)
(d)「ムラ感因子」＝０．８８×「頬のシミそばかす」＋０．８６×「頬の色ムラ」＋０．５７×「頬の赤み」−０．８９×「頬のキメ」―０．５７×「頬のつや」  回帰式(III-d)
(e)「色白因子」＝０．８６×「頬の白さ」＋０．８２×「頬の透明感」−０．７９×「頬のくすみ」  回帰式(III-e)
【００２７】
そして、 (i)〜(iii)の高次印象のそれぞれについて、各高次印象の評価値を目的変数とし、(a)〜(e)の５つの低次印象因子の因子得点を説明変数として重回帰分析することにより、次の回帰式(II-i)、(II-ii)、(II-iii)を得た。
【００２８】
「見た目年齢が若い」＝−０．７４×「シワたるみ因子」−１．２９Ｅ-18  （調製済み決定係数Ｒ2＝０．５３）  回帰式(II-i)
【００２９】
「イキイキしている」＝−０．３６×「シワたるみ因子」−０．２８×「色白因子」−０．４５×「目周りのくすみ因子」＋０．６３×「目力因子」−２．２２１Ｅ-17  （調製済み決定係数Ｒ2＝０．８３）  回帰式(II-ii)
【００３０】
「清潔感がある」＝−０．５６×「ムラ感因子」−０．３８×「シワたるみ因子」＋０．３１×「色白因子」−０．２６×「目周りのくすみ因子」−４．３Ｅ-18  （調製済み決定係数Ｒ2＝０．５８）  回帰式(II-iii)
【００３１】
なお、(i)〜(iii)の高次印象の評価値の算出に使用する回帰式は上述した回帰式(II-i)、(II-ii)、(II-iii)に限られず、例えば、低次印象語の因子分析において低次印象語の数を増減することにより、高次印象の評価値の説明変数とする低次印象因子の数を増減させてもよい。
【００３２】
また、上述の例では１７個の低次印象語を５段階に評定したが、低次印象語の評定値は物理的又は感覚的計測値に対応するものであればよく、計測機器による計測値、見本票を用いた評定、スコアリングなどにより得ることができる。問診による評定値、アドバイザーの目視による評定値などを使用してもよい。問診による評定値としては、例えば、ほうれい線、目周りのたるみ感、頬の色ムラ等に関する悩みの程度をスコア化したものをあげることができる。計測機器による計測値としては、例えば、皮膚の粘弾性測定装置、測色計等を用いて顔の皮膚を計測することにより得られる各種計測値、顔画像から計測される所定の部位の長さ、開眼度、測色値等をあげることができる。
【００３３】
より具体的には、１７個の低次印象語の評定値は、例えば次の方法又は装置の使用により得ることができる。
目元のシワたるみやくぼみ：問診、目視、３Ｄ計測装置、皮膚レプリカの計測
ほうれい線付近のシワたるみ：問診、目視、３Ｄ計測装置、皮膚レプリカの計測
口元のシワたるみ：問診、目視、３Ｄ計測、皮膚レプリカの計測
フェイスラインのシワたるみ：問診、目視、３Ｄ計測装置、皮膚レプリカの計測
目のぱっちり感：問診、目視、開眼度計測
目力：問診、目視、開眼度計測
頬のつや：問診、目視、画像特徴量の算出、光沢計
頬のキメ：問診、目視、画像特徴量の算出、デジタルマイクロスコープ
頬のハリ：問診、目視、皮膚粘弾性測定装置、画像特徴量の算出
クマ：問診、目視、測色計、メラニン・ヘモグロビン計測装置、画像特徴量の算出
目周りのくすみ：問診、目視、測色計、メラニン・ヘモグロビン計測装置、画像特徴量の算出
頬のくすみ：問診、目視、測色計、メラニン・ヘモグロビン計測装置、画像特徴量の算出
頬の透明感：問診、目視、測色計、メラニン・ヘモグロビン計測装置、画像特徴量の算出
頬の白さ：問診、目視、測色計、メラニン・ヘモグロビン計測装置、画像特徴量の算出
頬の赤み：問診、目視、測色計、メラニン・ヘモグロビン計測装置、画像特徴量の算出
頬の色ムラ：問診、目視、測色計、メラニン・ヘモグロビン計測装置、画像特徴量の算出
頬のシミそばかす：問診、目視、測色計、メラニン・ヘモグロビン計測装置、画像特徴量の算出
【００３４】
これらの生データを評定値として使用するときには、生データとして取得される値から平均値を引き、標準偏差で割ることにより標準化したものを使用する。
【００３５】
また、上述した回帰式(I)、(II-i)〜(II-iii)、(III-a)〜(III-e)はそれぞれ公知の統計処理ソフト（例えば、ＩＢＭ社のＳＰＳＳ、Ｒ等）を用いて得ることができる。
【００３６】
また、低次印象語の評定値から低次印象因子の評価値を算出する回帰式は、上述の回帰式(III-a)、(III-b)、(III-c)、(III-d)、(III-e)に限られず、低次印象語の種類や数を変更してもよい。例えば、低次印象語として、鼻や頬の毛穴、額のシワ、唇のくすみ等を加えても良く、頬のツヤ、目元のシワたるみやくぼみ、頬のハリ等を省略してもよい。
【００３７】
こうして図１に示すように、低次印象語の評定値から(a)〜(e)の低次印象因子の評価値が回帰式(III-a)、(III-b)、(III-c)、(III-d)、(III-e)により算出され、(a)〜(e)の低次印象因子の評価値から(i)〜(iii)の高次印象の評価値が回帰式(II-i)、(II-ii)、(II-iii)により算出され、(i)〜(iii)の高次印象の評価値から若々しさに関する高次印象の評価値が回帰式(I)により算出されるという印象の階層構造が構築される。
【００３８】
上述した回帰式は、性別、年代別に得ておくことが好ましい。
【００３９】
＜被験者の若々しさの評定方法＞
上述の印象の階層構造に基づき、本発明では被験者の若々しさを次のように評価する。
（１）被験者の顔の低次印象語の評定値の取得
まず、顔の(a)〜(e)の５つの低次印象因子の評価値の算出に必要な低次印象語の代表的項目について被験者から評定値を取得する。この場合、低次印象語の代表的項目としては、例えば、頬のシミソバカス、口元のたるみ、頬の白さ、クマ、目のぱっちり感等をあげることができる。必ずしも上述の１７個の低次印象語の全てについて評定値を取得する必要はない。
【００４０】
この評定値として問診によるスコアを使用する場合、スコアとしては、被験者本人がほうれい線、目周りのたるみ感、頬の色ムラ等に関する悩みの程度をスコア化したものを使用することができる。
【００４１】
（２）(a)〜(e)の５つの低次印象因子の評価値の算出
上述の回帰式(III-a)、(III-b)、(III-c)、(III-d)、(III-e)を用いて、（１）で得た低次印象語の評定値から次の(a)〜(e)の５つの低次印象因子の評価値を算出する。
(a)シワたるみ因子
(b)目力因子
(c)目周りのくすみ因子
(d)ムラ感因子
(e)色白因子
【００４２】
（３）高次印象の評価値の算出
上述の回帰式(II-i)、(II-ii)、(II-iii)を用いて、（２）で得た５つの低次印象因子の評価値から次の(i)〜(iii)の高次印象の評価値を算出する。
(i)見た目年齢が若い
(ii)イキイキしている
(iii)清潔感がある
【００４３】
なお、高次印象の評価値は必ずしも(i)〜(iii)の全ての高次印象について算出する必要はなく、被験者の要望に応じて(i)〜(iii)のいずれかを算出してもよい。
（４）若々しさの評価値の算出
上述の回帰式(I)を用いて、（３）で算出した高次印象の評価値から若々しさを表す高次印象の評価値を算出する。
なお、「見た目年齢が若い」にかえて実年齢を用いることもできるが、その際は実年齢に−１を乗じた値を用いるのが好ましい。
【００４４】
＜検証＞
本発明の方法により算出される高次印象の評価値の確からしさは、複数人の被験者について上述のようにして低次印象語の評定値から低次印象因子の評価値を算出し、低次印象因子の評価値から(i)〜(iii)の高次印象の評価値を算出し、さらに(i)〜(iii)の高次印象の評価値から「若々しい」という高次印象の評価値を算出し、こうして得られた高次印象の評価値と、顔印象の専門家が被験者の顔を見て直接的にこれらの印象について評定した場合の評定値とがどれほど一致するかによって以下の様に検証した。
【００４５】
まず、５０代女性３２名の顔画像について、以下の印象語に対する目視スコアを取得した。「若々しい」、「見た目年齢が若い」、「イキイキしている」、「清潔感がある」の４つの高次印象語、および、目元のシワたるみやくぼみ、ほうれい線付近のシワたるみ、口元のシワたるみ、フェイスラインのシワたるみ、目のぱっちり感、目力、頬のつや、頬のキメ、頬のハリ、クマ、目周りのくすみ、頬のくすみ、頬の透明感、頬の白さ、頬の赤み、頬の色ムラ、頬のシミそばかすの１７の低次印象語
【００４６】
次に、１７の低次印象語に対する目視スコアを回帰式(III-a)、(III-b)、(III-c)、(III-d)、(III-e)に代入し、５つの低次印象因子の評価値を算出した。更に、これらの低次印象因子の評価値を回帰式(II-i)、(II-ii)、(II-iii)に代入することによって３つの高次印象の評価値を、また、これらの高次印象の評価値を回帰式(I)に代入することによって「若々しい」の評価値をそれぞれ算出した。
【００４７】
最後に、「若々しい」、「見た目年齢が若い」、「イキイキしている」、「清潔感がある」に関して、算出された評価値と目視スコアとの相関係数を算出したところ、次に示すように、高い相関が認められた。
「若々しい」０．８６
「見た目年齢が若い」０．７４
「イキイキしている」０．８９
「清潔感がある」０．７５
【００４８】
＜表示＞
（２）で算出した低次印象因子の評価値や、（３）、（４）で算出した高次印象の評価値を棒グラフ、レーダーチャート等でグラフ表示することが好ましい。
例えば、図２に示したように、(a)〜(e)の５つの低次印象因子の評価値と、(i)〜(iii)の高次印象の評価値とを棒グラフで表し、回帰式(II-i)、(II-ii)、(II-iii)で関係づけられている(i)〜(iii)の高次印象と(a)〜(e)の低次印象とを線でむすんでもよい。これにより、(i)〜(iii)の高次印象の評価値が、それぞれどの低次印象の評価値の影響を受けているかを容易に理解することができる。なお、図２において、基準値は、年代の平均値や中央値等を意味している。
【００４９】
＜本発明の活用例＞
本発明の高次印象の評価方法は、店頭等でスキンケア製品を進める際のカウンセリングツールとして、また、新たなスキンケア製品を開発する際の評価ツールとして使用することができる。
【００５０】
例えば、カウンセリングツールとして使用する場合、スキンケアのアドバイザーは、被験者のデータから算出した、図２に示すような低次印象と高次印象のグラフを被験者に示し、被験者の低次印象の良い点と悪い点を、被験者の高次印象の評価値と共に説明する。
【００５１】
図３に示すように、(i)〜(iii)の高次印象の被験者の評価結果をレーダーチャートに示し、(i)〜(iii)の高次印象のそれぞれについて、それらの要素となっている低次印象の評価点を、同年代の平均値と共に示しても良い。この場合、被験者にわかりやすい表示とするため、高次印象の評価値を０〜１００のスケールで得点として表示してもよく、(i)〜(iii)の高次印象の上位に若々しいという高次印象があることを、(i)〜(iii)の高次印象が若々しさの３要素であると表示してもよい。これらを表示する画面又は紙面にアドバイザーによるアドバイスを記載してもよい。
【００５２】
図４に示すように、高次印象の評価値を０〜１００のスケールで得点として表示すると共に、回帰式(I)で算出した若々しさを表す高次印象の評価値を、被験者の若々しさの総合得点として表示してもよい。この場合、予め若々しさを表す高次印象の評価値や見た目年齢の評価値と実年齢とを対応させたデータベースを用意しておき、そのデータベースに基づき、被験者の若々しさを表す高次印象の評価値や、見た目年齢の評価値として該評価値に対応する年齢を記載してもよい。
【００５３】
カウンセリングでは、被験者が得たいと思う若々しさが(i)〜(iii)の高次印象のいずれであるかを被験者に選択してもらい、被験者が得たいと思う高次印象を実現するためには(a)〜(e)のいずれの低次印象を向上させるのが効果的かを説明する。
この場合、(a)〜(e)の低次印象と、それらの向上に有用なマッサージ液、フェイスマスク、美容液等の化粧品を関連づけておき、上述の低次印象の向上に有用な化粧品の使用を被験者に提案してもよい。
【００５４】
あるいは、(i)〜(iii)の高次印象と該高次印象を向上させるために有用な化粧品とを予め関連づけておき、被験者が得たいと思う若々しさを(i)〜(iii)の高次印象から選択した後、その高次印象を向上させるのに有用な化粧品が被験者に提案されるようにしてもよい。
【００５５】
また、被験者の現在の画像と共に、美容方法を行うことにより若々しさが改善した後のシミュレーション画像を表示してもよい（図４）。
【図１】
2019201743.tif 000003
【図２】
2019201743.tif 000004
【図３】
2019201743.tif 000005
【図４】
2019201743.tif 000006